(57)【要約】【課題】  アーム式ウインドレギュレータが上死点で拘束された時に、幅方向の力（あおり力）に起因する亀裂がベースプレートに生じないようにする。【解決手段】  一端部寄りの一面側にリフトアームの基端部を回動可能に支持するとともに他端部寄りの他面側にドリブンギヤと噛合するピニオンを支持し、前記一面側が凹部となる溝型断面形状を成し、溝の両縁部から外側へ張り出した平板状の延設部２２（２２ａ〜２２ｃ）にインナパネルへの取付部（１３ａ〜１３ｃ）を有する本体２０と、前記溝を覆うように前記本体２０の延設部２２に重ねて取り付けられて前記溝と合わせて筒型断面を構成する補強プレート１０を有し、前記一端部寄りの上端部２２ｃ及び下端部２２ｂと前記他端部寄りの下端部２２ａとで補強プレート１０を介してインナパネルに取り付けられるアーム式ウインドレギュレータのベースプレート。【選択図】      図１
2006045977.tif 000002
【特許請求の範囲】
【請求項１】
一端部寄りの一面側にリフトアームの基端部を回動可能に支持するとともに他端部寄りの他面側に前記リフトアーム基端部のドリブンギヤと開口部を介して噛合するピニオンを支持し、前記他面側が凹部となる溝型断面形状を成し、該溝の両縁部からそれぞれ外側へ張り出した平板状の延設部にインナパネルへの取付部を有するベースプレート本体と、
前記溝を覆うように前記ベースプレート本体の延設部に重ねて取り付けられることで前記溝と合わせて筒型断面を構成する補強プレートと、
を有し、前記一端部寄りの上端部及び下端部と前記他端部寄りの下端部とで前記補強プレートを介してインナパネルに取り付けられる、
ことを特徴とするアーム式ウインドレギュレータのベースプレート。
【請求項２】
請求項１に於いて、
前記補強プレートは、一縁部に設けた爪で前記ベースプレート本体の前記一端部寄りの下端部側に係止されるとともに、他縁部を前記ベースプレート本体の前記他端部寄りの上端部側に溶接されて前記ベースプレート本体に取り付けられる、
ことを特徴とするアーム式ウインドレギュレータのベースプレート。
【発明の詳細な説明】
【技術分野】
【０００１】
本発明は、アーム式ウインドレギュレータのベースプレートに関する。
【背景技術】
【０００２】
Ｘアーム式やシングルアーム式のアーム式ウインドレギュレータは周知である。
例えば、特開平９−１１９２６１号公報には、Ｘアーム式ウインドレギュレータの一例が記載されている（特許文献１，参照）。
また、特開２００３−３０１６６０号公報には、シングルアーム式ウインドレギュレータの一例が記載されている（特許文献２，参照）。
【特許文献１】特開平９−１１９２６１号公報。
【特許文献２】特開２００３−３０１６６０号公報。
【発明の開示】
【発明が解決しようとする課題】
【０００３】
図５は、アーム式ウインドレギュレータで用いられる従来のベースプレートを示す。また、図３は、Ｘアーム式ウインドレギュレータの一例を示し、図４は、図３の要部（ベースプレート付近）を示す。なお、図３（及び図４）のウインドレギュレータでは、ベースプレートとして、従来及び本発明の何れのベースプレートをも使用可能である。
【０００４】
まず、Ｘアーム式ウインドレギュレータについて簡単に説明する。
図５に示すように、ベースプレート２０の一端部（図５内で右端部）寄りには、円形貫通孔２９が設けられており、この円形貫通孔２９に、段付きピン４１（図４）が挿入されて回転可能に支持される。段付きピン４１は、図５での紙面裏面側（請求項の一面側）に於いてリフトアーム５０（図３，図４）の基端部に係合されるため、段付きピン４１が回転されると、リフトアーム５０も一体に回転する。
図３に示すように、リフトアーム５０の基端部には、ドリブンギヤ６０が、溶接等によりリフトアーム５０に一体に固着されている。ドリブンギヤ６０は、操作ハンドル（不図示）により回転されるハンドルシャフト９１（図３（ｂ））に設けられたピニオン９２に噛合されており、手動による操作ハンドルの操作に伴って回転駆動される。なお、ピニオン９２は、図５での紙面表面側（請求項の他面側）に収容されるが、表面側と裏面側を連通する開口部２８が設けられており、この開口部を介してドリブンギヤ６０が侵入することで、ピニオン９２との噛合が可能とされている。
【０００５】
リフトアーム５０の他端（図３内で右上端）にはローラ５１が設けられており、このローラ５１が、ウインドガラス（不図示）下端部のブラケット（不図示）に設けられたガイド７０に係合して、水平方向に移動可能とされている。
リフトアーム５０の中央部位（リフトアーム５０が段付きピン４１に係合されている部位とローラ５１との略中央部）には、リフトアーム５０を貫通するスピンドル５２が回転可能に設けられている。このスピンドル５２の一方の端部（図３で紙面裏面側）には、ガイド７０方向へ延びる第１イコライザアーム５５が固着されており、他方の端部（図３で紙面表面側）には、ドア本体（不図示）に固定のガイド８０方向へ延びる第２イコライザアーム５６が固着されている。つまり、第１と第２のイコライザアーム５５，５６は、スピンドル５２を介して一体化されている。
第１イコライザアーム５５の先端には、ガイド７０に係合されて水平方向に移動可能とされたローラ５５ａが設けられている。また、第２イコライザアーム５６の先端には、ガイド８０に係合されて水平方向に移動可能とされたローラ５６ａが設けられている。
【０００６】
ベースプレート２０の一端部（図５内で右端部）寄りの図５での表面側（請求項の他面側）には、バランススプリング３１（図４）が収容される。このバランススプリング３１は、その内端部３１Ｂ（図４）が段付きピン４１のすり割り部に掛止され、中間部が段付きピン４１の周囲にスパイラル状に巻回され、外端部３１Ａがベースプレート２０から立設された掛止部２６に掛止されている。このため、リフトアーム５０には、常にウインドガラス（不図示）を持ち上げる方向への付勢力が印加されている。
かかる構成のウインドレギュレータに於いて、ハンドル（不図示）を操作してハンドルシャフト９１（図３（ｂ））を回転させると、その回転が、ピニオン９２を介してドリブンギヤ６０に伝達されてリフトアーム５０を回転させる。これにより、ウインドガラスが上昇／下降される。
【０００７】
上記したＸアーム式ウインドレギュレータに於いてウインドガラスが上昇して上死点に至ると、当該ウインドレギュレータが拘束状態となるため、車幅方向（図３（ａ）に於いて紙面と直交若しくは交叉する方向）の力が加わるようになり、特に、その力がベースプレート２０付近に集中する。即ち、いわゆる「あおり」が発生して、ベースプレート２０に過大な力が加わるようになる。
しかるに、図５に示す従来のベースプレート２０は、３箇所に於いてインナパネル（不図示）に取り付けられるものである。つまり、リフトアーム５０を支持する端部（請求項の一端部）寄りの上端部のボルト孔２３ｃ及び下端部のボルト孔２３ｂと、ピニオン９２を支持する端部（請求項の他端部）寄りの下端部のボルト孔２３ａとに於いて、インナパネル（不図示）に取り付けられるものである。言い換えれば、ピニオン９２を支持する端部（請求項の他端部）寄りの上端部２２ｄは、インナパネルには固着されない。その理由は、インナパネルとして、モータ駆動のＸアーム式ウインドレギュレータと共通のものを使用したいため、上記した第４の部位（非固着部位＝ピニオン９２を支持する端部（請求項の他端部）寄りの上端部２２ｄ）には、取付部を設けられないという事情があるためである。
このように３箇所のみでインナパネルに取り付けられるため、上記「あおり」によってベースプレート２０付近に力が集中すると、その過大な力が、上記したボルト孔２３ｃ〜２３ａを結ぶ対角線でベースプレート２０を捻るように作用し、その結果、最悪の場合には、図５に符号「ＣＲ」で示す部位付近に亀裂が生ずるようになる。
なお、従来のベースプレート２０をシングルアーム式ウインドレギュレータに用いる場合も、上記と同様に「あおり」によってベースプレート２０に過大な力が加わり、最悪の場合には、図５に符号「ＣＲ」で示す部位付近に亀裂が生ずるようになる。
【０００８】
本発明は、上記事情に鑑みたものであり、インナパネルの構成を変えないで、且つ、ベースプレートの取付部位（インナパネルへの取付部位）も変えないで、簡単な構成でベースプレートの剛性を高めて、拘束状態に於いて上記の「あおり」によって力が集中したとしても、ベースプレートに亀裂が生じないようにすることを目的とする。
【課題を解決するための手段】
【０００９】
本発明は、下記［１］〜［２］のように構成される。
［１］構成１：
一端部寄りの一面側にリフトアームの基端部を回動可能に支持するとともに他端部寄りの他面側に前記リフトアーム基端部のドリブンギヤと開口部を介して噛合するピニオンを支持し、前記他面側が凹部となる溝型断面形状を成し、該溝の両縁部からそれぞれ外側へ張り出した平板状の延設部にインナパネルへの取付部を有するベースプレート本体と、
前記溝を覆うように前記ベースプレート本体の延設部に重ねて取り付けられることで前記溝と合わせて筒型断面を構成する補強プレートと、
を有し、前記一端部寄りの上端部及び下端部と前記他端部寄りの下端部とで前記補強プレートを介してインナパネルに取り付けられる、
ことを特徴とするアーム式ウインドレギュレータのベースプレート。
［２］構成２：
構成１に於いて、
前記補強プレートは、一縁部に設けた爪で前記ベースプレート本体の前記一端部寄りの下端部側に係止されるとともに、他縁部を前記ベースプレート本体の前記他端部寄りの上端部側に溶接されて前記ベースプレート本体に取り付けられる、
ことを特徴とするアーム式ウインドレギュレータのベースプレート。
【発明の効果】
【００１０】
構成１の発明は、一端部寄りの一面側にリフトアーム（５０）の基端部を回動可能に支持するとともに他端部寄りの他面側に前記リフトアーム基端部のドリブンギヤ（６０）と開口部（２８）を介して噛合するピニオン（９２）を支持し、前記他面側が凹部となる溝型断面形状を成し、該溝の両縁部からそれぞれ外側へ張り出した平板状の延設部（２２）にインナパネルへの取付部（２３ａ〜２３ｃ）を有するベースプレート本体（２０）と、前記溝を覆うように前記ベースプレート本体（２０）の延設部（２２）に重ねて取り付けられることで前記溝と合わせて筒型断面を構成する補強プレート（１０）とを有し、前記一端部寄りの上端部及び下端部と前記他端部寄りの下端部とで前記補強プレート（１０）を介してインナパネルに取り付けられる、アーム式ウインドレギュレータのベースプレートであるため、箱型断面を形成するという簡単な構成で大きな剛性を得ることができ、拘束状態に於いて前記「あおり」によって力が集中したとしても、ベースプレート本体（２０）に亀裂が生ずることを防止できる。
構成２の発明は、構成１に於いて、前記補強プレート（１０）は、一縁部に設けた爪（１５）で前記ベースプレート本体（２０）の前記一端部寄りの下端部側に係止されるとともに、他縁部を前記ベースプレート本体（２０）の前記他端部寄りの上端部側に溶接されて前記ベースプレート本体に取り付けられる、アーム式ウインドレギュレータのベースプレートであるため、構成１が持つ効果に加えて、さらに、ウインドレギュレータアッシーへの組付前や組付時に補強プレート（１０）がベースプレート本体（２０）から脱落してしまうことがないという効果がある。
【発明を実施するための最良の形態】
【００１１】
Ｘアーム式ウインドレギュレータについては、「発明が解決しようとする課題」の項で説明したことと同じであるため、ここでの説明は省略する。
また、シングルアーム式ウインドレギュレータについても、本発明の要旨に直接的に関連するベースプレート付近は「発明が解決しようとする課題」の項で説明したことと同じであり、他の部分は周知であるため、説明は省略する。
以下、従来のベースプレートと異なる点を中心に説明する。
図１は本発明を具体化したベースプレートを示し、（ｂ）はベースプレートを補強プレート１０側（インナパネル側）から見た正面図、（ａ）は（ｂ）のＡ視断面図である。また、図２は図１内の補強プレート１０を図１（ｂ）と同方向から見た正面図、（ａ）は（ｂ）のＡ視側面図である。
【００１２】
図１に示すベースプレートは、ベースプレート本体２０と、ベースプレート本体２０に重ねるように取り付けられる補強プレート１０とから成る。
ベースプレート本体２０の構成は、図５を参照して説明した従来のベースプレート２０と同じである。即ち、ピニオン９２やバランススプリング３１が収容される側（請求項の他面側；図１や図５での紙面上方側）が凹部となる溝型断面形状を成す。なお、溝型断面は、図５（ａ）や（ｃ）に示されている。
溝の壁部２１（２１ａ〜２１ｃ）の上端部である縁部からは、それぞれ外側へ延設部２２（２２ａ〜２２ｄ）が張り出して形成されている。この延設部２２の中で、延設部２２ａ〜２２ｃには、インナパネルへの取付部となるボルト孔２３ａ〜２３ｃが設けられているが、ピニオン９２が収容される端部（請求項の他端部）寄りの上端部の延設部２２ｄは、インナパネルへの取付部ではないため平板のままである。
【００１３】
この延設部２２に、平板形状（図１（ａ）参照）の補強プレート１０が重ねるようにして取り付けられる。即ち、補強プレート１０の爪１５が、ベースプレート本体２０のバランススプリング３１が収容される端部（請求項の一端部）寄りの下端部の延設部２２ｅに掛止されるとともに、ベースプレート本体２０の前記延設部２２ｄに、補強プレート１０の対応部位１２ｄが溶接で固着される。
このように溶接で固着されるため、ウインドレギュレータアッシーへの組付前や組付時に補強プレート１０がベースプレート本体２０から脱落してしまうことがない。また、爪１５で掛止するため、溶接の熱で反りが発生したとしても、補強プレート１０とベースプレート本体２０とにガタツキが生ずることはない。
【００１４】
なお、補強プレート１０に設けられた貫通孔１１は、ピニオン９２やハンドルシャフト９１を配するための孔である。また、図２内右端に大きく開放された切欠部１６は、バランススプリング３１を装着する際に妨げとならないように設けられたものである。
また、図２内に示す補強プレート１０の部位１２ａ〜１２ｃは、それぞれ、ベースプレート本体２０の延設部２２ａ〜２２ｃに対応する部位を示し、１３ａ〜１３ｃは、ボルト孔２３ａ〜２３ｃに対応する孔を示す。
【図面の簡単な説明】
【００１５】
【図１】（ｂ）は本発明の実施の形態のベースプレートを補強プレート１０側（インナパネル側）から見た正面図、（ａ）は（ｂ）のＡ視断面図。
【図２】（ｂ）は図１内の補強プレート１０の正面図、（ａ）は（ｂ）のＡ視側面図。
【図３】（ａ）は図１のベースプレートを備えたＸアーム式ウインドレギュレータの正面図、（ｂ）は（ａ）のＢ視下面図。
【図４】図３（ａ）内のベースプレート付近を拡大して示す要部拡大図。
【図５】（ｂ）従来のベースプレートを示す正面図、（ａ）は（ｂ）のＡ視断面図、（ｃ）は（ｂ）のＣ視側面図。
【符号の説明】
【００１６】
１０  補強プレート
１２ｄ  溶接箇所
１５  爪
２０  ベースプレート本体
２１（２１ａ〜２１ｃ）  溝の壁部
２２（２２ａ〜２２ｄ）  溝の縁からの延設部
３１  バランススプリング
【図１】
2006045977.tif 000003
【図２】
2006045977.tif 000004
【図３】
2006045977.tif 000005
【図４】
2006045977.tif 000006
【図５】
2006045977.tif 000007